(57)【要約】【課題】ガスの流通性を確保しつつ、効率的に水分交換して加湿可能な加湿装置を提供する。【解決手段】複数の中空糸膜３２が束ねられてなる中空糸膜束３１と、中空糸膜束３１を収容するケース１０と、を備え、空気が中空糸膜３２内を流通し、空気と含水量の異なるオフガスが、中空糸膜３２の外側を流通し、ケース１０に形成されたオフガス流出口１１ａを通って外部に流出すると共に、中空糸膜３２を介して水分交換し空気を加湿する加湿装置１であって、中空糸膜束３１のオフガス流出口１１ａ近傍部分を外被して絞り、オフガス流出口１１ａ近傍部分とオフガス流出口１１ａとを離間させる環状のメッシュ３５を備えた。【選択図】図３
2008256225.tif 000002
【特許請求の範囲】
【請求項１】
複数の中空糸膜が束ねられてなる中空糸膜束と、
前記中空糸膜束を収容するケースと、
を備え、
第１ガスが前記中空糸膜内を流通し、
前記第１ガスと含水量の異なる第２ガスが、前記中空糸膜の外側を流通し、前記ケースに形成された第２ガス流出口を通って外部に流出すると共に、
前記中空糸膜を介して水分交換し、第１ガス及び第２ガスのうち含水量の低いガスを加湿する加湿装置であって、
前記中空糸膜束の前記第２ガス流出口近傍部分を外被して絞り、前記第２ガス流出口近傍部分と前記第２ガス流出口とを離間させる環状のメッシュを備えたことを特徴とする加湿装置。
【請求項２】
複数の中空糸膜が束ねられてなる中空糸膜束と、
前記中空糸膜束を収容するケースと、
前記中空糸膜束を前記ケースに固定する固定部と、
を備え、
第１ガスが前記中空糸膜内を流通し、
前記第１ガスと含水量の異なる第２ガスが、前記中空糸膜の外側を流通し、前記ケースに形成された第２ガス流出口を通って外部に流出すると共に、
前記中空糸膜を介して水分交換し、第１ガス及び第２ガスのうち含水量の低いガスを加湿する加湿装置であって、
前記中空糸膜束は、その第２ガス流出口近傍部分が絞られ、当該第２ガス流出口近傍部分と前記第２ガス流出口とが離間するように、前記固定部を介して前記ケースに固定されていることを特徴とする加湿装置。
【請求項３】
前記第２ガス流出口は軸方向において複数段で配置されると共に、
当該第２ガス流出口の面積は、第２ガスが流通する方向に進むにつれて大きいことを特徴とする請求項１又は請求項２に記載の加湿装置。
【発明の詳細な説明】
【技術分野】
【０００１】
本発明は、燃料電池等の機器に供給する気体を加湿する加湿装置に関し、詳しくは、水透過性の中空糸膜を有する加湿装置に関する。
【背景技術】
【０００２】
固体高分子型燃料電池（Polymer Electrolyte Fuel Cell：ＰＥＦＣ）等の燃料電池では、水素等の燃料ガス、酸素等の酸化剤ガスを加湿する加湿装置が必要である。例えば、水透過性を有する中空糸膜をケースに内蔵し、この中空糸膜を介して、燃料電池から排出された多湿（含水量の高い）オフガスと、燃料電池に供給する空気（酸化剤ガス）との間で水分交換し、空気を加湿する加湿装置が知られている（特許文献１参照）。
【特許文献１】特開２００４−６０９９号公報（図１１）
【発明の開示】
【発明が解決しようとする課題】
【０００３】
しかしながら、特許文献１に記載の加湿装置では、中空糸膜の外側を流れるガスが、ケースのガス流出口を通って外部に流出する際に、このガスの流れによって、中空糸膜がガス流出口を塞ぐように、ケースの内周面に張り付いてしまう場合があった。そして、このようにして、ガス流出口の一部が塞がれてしまうと、前記した中空糸膜の外側を流れるガスの加湿装置からの排出性が悪くなった。これにより、加湿装置及び燃料電池を経由するガスの流量が低下し、その結果として、燃料電池システムが良好に作動しない場合があった。
また、ガス流出口が塞がれてしまうと、ケース内において、中空糸膜の外側を流れるガスが受ける圧力損失が乱れてしまい、その結果として、効率的に水分交換できず、好適に加湿されない場合があった。
【０００４】
そこで、本発明は、ガスの流通性を確保しつつ、効率的に水分交換して加湿可能な加湿装置を提供することを課題とする。
【課題を解決するための手段】
【０００５】
前記課題を解決するための手段として、本発明は、複数の中空糸膜が束ねられてなる中空糸膜束と、前記中空糸膜束を収容するケースと、を備え、第１ガスが前記中空糸膜内を流通し、前記第１ガスと含水量の異なる第２ガスが、前記中空糸膜の外側を流通し、前記ケースに形成された第２ガス流出口を通って外部に流出すると共に、前記中空糸膜を介して水分交換し、第１ガス及び第２ガスのうち含水量の低いガスを加湿する加湿装置であって、前記中空糸膜束の前記第２ガス流出口近傍部分を外被して絞り、前記第２ガス流出口近傍部分と前記第２ガス流出口とを離間させる環状のメッシュを備えたことを特徴とする加湿装置である。
【０００６】
ここで、環状のメッシュが中空糸膜束の第２ガス流出口近傍部分を外被して絞るとは、メッシュが、中空糸膜束の少なくとも第２ガス流出口近傍部分の外周面に被さり、第２ガス流出口近傍部分において中空糸膜同士間の距離が小さくなり、中空糸膜束の輪切り断面方向において、中空糸膜の密度が高くなっていることを意味する。
【０００７】
このような加湿装置によれば、環状のメッシュが、中空糸膜束の少なくとも第２ガス流出口近傍部分を外被して絞り、中空糸膜束の少なくとも第２ガス流出口近傍部分と第２ガス流出口とが離間しているので、中空糸膜束を構成する中空糸膜が、第２ガス流出口を塞ぎにくくなる。これにより、ケース内であって中空糸膜の外側を流れる第２ガスは第２ガス流出口から外部に好適に流出することができ、第２ガスの流通性は確保される。その結果、ケース内において、第２ガスが受ける圧力損失が乱れにくくなり、第１ガスと第２ガスとの間で、効率的に水分交換し、加湿することができる。
【０００８】
また、メッシュは通気性を有するので、メッシュが中空糸膜束の外周面に被さっても、中空糸膜束内外における第２ガスの流通性が低下することはない。
さらに、環状のメッシュで中空糸膜束を外被することで、中空糸膜束を構成する中空糸膜がばらばらになることを防止すると共に、中空糸膜束の外周面を保護することもできる。さらにまた、加湿装置を組み付ける際、中空糸膜束をメッシュで外被することによって、中空糸膜束の取り扱いが容易となり、ケースに適切に配置しやすくなる。
【０００９】
また、本発明は、複数の中空糸膜が束ねられてなる中空糸膜束と、前記中空糸膜束を収容するケースと、前記中空糸膜束を前記ケースに固定する固定部と、を備え、第１ガスが前記中空糸膜内を流通し、前記第１ガスと含水量の異なる第２ガスが、前記中空糸膜の外側を流通し、前記ケースに形成された第２ガス流出口を通って外部に流出すると共に、前記中空糸膜を介して水分交換し、第１ガス及び第２ガスのうち含水量の低いガスを加湿する加湿装置であって、前記中空糸膜束は、その第２ガス流出口近傍部分が絞られ、当該第２ガス流出口近傍部分と前記第２ガス流出口とが離間するように、前記固定部を介して前記ケースに固定されていることを特徴とする加湿装置である。
【００１０】
このような加湿装置によれば、中空糸膜束の第２ガス流出口近傍部分が絞られ、第２ガス流出口近傍部分と第２ガス流出口とが離間するように、中空糸膜束が固定部を介してケースに固定されているので、中空糸膜束を構成する中空糸膜が第２ガス流出口を塞ぎにくくなる。これにより、第２ガスが第２ガス流出口から外部に好適に流出することができ、第２ガスの流通性は確保される。その結果、ケース内において、第２ガスが受ける圧力損失が乱れにくくなり、第１ガスと第２ガスとの間で、効率的に水分交換し、加湿することができる。
【００１１】
また、前記第２ガス流出口は軸方向において複数段で配置されると共に、当該第２ガス流出口の面積は、第２ガスが流通する方向に進むにつれて大きいことを特徴とする加湿装置であることが好ましい。
【００１２】
このような加湿装置によれば、ケースの軸方向において複数段で配置された第２ガス流出口の面積が、第２ガスが流通する方向に進むにつれて大きいので、第２ガスが第２ガス流通口から受ける圧力損失は、第２ガスが流通する方向に進むにつれて小さくなる。
これにより、第２ガスが流通する方向において、下流位置に配置された第２ガス流通口からも第２ガスが排出されやすくなる。したがって、第２ガスが流通する方向において、下流位置に配置された中空糸膜を介しても、水分交換することができる。
【発明の効果】
【００１３】
本発明によれば、ガスの流通性を確保しつつ、効率的に水分交換して加湿可能な加湿装置を提供することができる。
【発明を実施するための最良の形態】
【００１４】
以下、本発明の一実施形態について、図１から図４を参照して説明する。
まず、本実施形態に係る加湿装置が組み込まれた燃料電池システムについて、図１を参照して説明する。図１に示す燃料電池システム１００は、図示しない燃料電池自動車に搭載されている。燃料電池システム１００は、燃料電池スタック４０と、これに酸素を含む空気（酸化剤ガス）を供給するコンプレッサ５１と、燃料電池スタック４０に供給される空気を適宜に加湿するための中空糸膜３２を内蔵する加湿装置１と、燃料電池スタック４０に水素（燃料ガス）を供給する水素タンク６１（水素供給機器）と、を備えている。
【００１５】
燃料電池スタック４０は、固体高分子型燃料電池（Polymer Electrolyte Fuel Cell：ＰＥＦＣ）であり、ＭＥＡ（Membrane Electrode Assembly、膜電極接合体）をセパレータ（図示しない）で挟持してなる単セルが複数積層されて構成されている。ＭＥＡは、固体高分子膜４１と、これを挟持するカソード４２及びアノード４３とを備えている。
カソード４２には加湿空気が供給されるようになっている。因みに、加湿空気はコンプレッサ５１からの空気が、加湿装置１によって加湿されたものである。アノード４３には、水素タンク６１から水素が供給されるようになっている。
【００１６】
そして、水素及び加湿空気が供給されると、カソード４２及びアノード４３に含まれる触媒上で電気化学反応が起こり、燃料電池スタック４０が発電するようになっている。燃料電池スタック４０の出力端子には、燃料電池自動車の走行用の電動モータ（図示しない）が接続されており、この電動モータは燃料電池スタック４０の発電電力によって駆動するようになっている。
【００１７】
燃料電池スタック４０のカソード４２の下流側は、配管を介して加湿装置１に接続されており、発電に伴う電気化学反応によってカソード４２で生成した水分（水蒸気）を含む空気（以下、オフガスという）が加湿装置１に供給されるようになっている。そして、加湿装置１における中空糸膜３２を介しての水分交換によって、オフガスの水分量は低下し、この水分量が低下したオフガスは、背圧弁５２を介して、大気中に排出されるようになっている。
【００１８】
一方、燃料電池スタック４０のアノード４３の下流側は、パージ弁６２を介して大気に開放されており、アノード４３から排出される未反応の水素を含むアノードオフガスが、大気中に排出されるようになっている。なお、アノード４３とパージ弁６２との間の配管は、循環配管６３によって、アノード４３と水素タンク６１との間の配管に接続されており、アノードオフガス中の不純物の濃度が低い場合、言い換えると、アノードオフガス中の水素濃度が高い場合、パージ弁６２は閉じられ、アノードオフガスが水素供給側に戻されるようになっている。
【００１９】
≪加湿装置の構成≫
次に、加湿装置１の具体的に構成について、図２から図４を参照して説明する。
図２に示すように、加湿装置１は、外形が略円柱体を呈している。そして、コンプレッサ５１からの空気（第１ガス）は、加湿装置１の軸方向における前側からその内部に導入され、加湿空気となって、その後側から排出されるようになっている。カソード４２からの水分量の高いオフガス（第２ガス）は、加湿装置１の後側からその内部に導入され、水分交換によって含水量が低下した後、外ケース１１の前側の周面から排出されるようになっている。
【００２０】
図２及び図３に示すように、加湿装置１は、円筒状のケース１０と、ケース１０の中心軸線上に配置された芯部材２１と、ケース１０に内包（収容）されると共に、ケース１０と芯部材２１との間に充填（装填）された中空糸膜束３１と、中空糸膜束３１に外被する環状のメッシュ３５と、中空糸膜束３１及びメッシュ３５をケース１０に固定するポッティング部３３、３４（固定部、封止部）とを備えている。すなわち、芯部材２１は、断面視が環状の中空糸膜束３１の内側であって、ケース１０及び中空糸膜束３１の中心軸線上に配置されている。
【００２１】
＜ケース、芯部材＞
ケース１０は、外ケース１１と、フロントキャップ１２と、フロントマニホールド１３と、リアキャップ１４とを備えている。
【００２２】
外ケース１１は、ＰＣ（ポリカーボネート）やＰＰＯ（ポリフェニレンオキサイド）等の硬質樹脂から形成される円筒体であって、その前側の周壁に水分交換後のオフガスが流出するオフガス流出口１１ａ（第２ガス流出口）を複数有している。複数のオフガス流出口１１ａは、外ケース１１の周方向に配置されると共に、軸方向（オフガスの流通方向）において複数段（本実施形態では４段）で配置されている。
【００２３】
なお、軸方向において複数段で配置されたオフガス流出口１１ａの面積は、ポッティング部３３に近いほど、つまり、オフガスの流通方向に進むにつれて、大きいことが好ましい。このように、ポッティング部３３に近くなるほどオフガス流出口１１ａが大きいと、オフガスが受ける圧力損失が小さくなるため、オフガスがポッティング部３３側のオフガス流出口１１ａからも排出されやすくなる。これにより、オフガスがポッティング部３３に近い中空糸膜束３１内にも流れ込みやすくなり、ポッティング部３３に近い中空糸膜束３１の中空糸膜３２を介しても水分交換可能となる。
【００２４】
また、外ケース１１のオフガス流出口１１ａの近傍の内周面には、この内周面から径方向内側に突出するようにリング状の爪１１ｂ（凸条部）が形成されている（図４参照）。そして、爪１１ｂは、中空糸膜束３１の外周面を外被したメッシュ３５を径方向内側に押している。
なお、リング状の爪１１ｂは、例えば、外ケース１１を成形する際に、外ケース１１の中空部を形成する中子を、リング状の爪１１ｂに対応した部分で分割すると共に、この分割した中子に爪１１ｂに対応する外面を形成し、この２つの中子を外ケース１１から前方又は後方に引き抜くことで形成することができる。
【００２５】
フロントキャップ１２は、外ケース１１の前側開口に蓋をするように、外ケース１１に取り付けられている。そして、フロントキャップ１２内にコンプレッサ５１から空気が導入され、次いで、この空気が各中空糸膜３２内に導入されるようになっている。
【００２６】
フロントマニホールド１３は、複数のオフガス流出口１１ａから外部に流出したオフガスを集合させるためのカバーである。フロントマニホールド１３は、その内部にリング状の中空部を有しており、周方向かつ多段で形成されたオフガス流出口１１ａを覆うように外ケース１１に取り付けられている。そして、水分交換後のオフガスは、オフガス流出口１１ａから、前記リング状の中空部を介して、外部に排出されるようになっている。
【００２７】
リアキャップ１４は、外ケース１１の後側開口に蓋をするように、外ケース１１に取り付けられている。そして、中空糸膜３２から流出した加湿空気は、リアキャップ１４内を介して、外部に流出するようになっている。
【００２８】
＜芯部材＞
芯部材２１は、その後側にオフガスが導入される円柱状の中空部２１ａを有している。そして、芯部材２１には、中空部２１ａに導入されたオフガスが、その外部の中空糸膜束３１（詳しくは、中空糸膜３２の間）に流出するように、複数のオフガス流入口２１ｂ（第２ガス流入口）が形成されている。
【００２９】
＜中空糸膜束＞
中空糸膜束３１は、ポリイミド等から形成された中空糸膜３２が、所定本数（例えば１０〜１００００本）にて束ねられたものである。そして、中空糸膜束３１は、外ケース１１の軸方向に沿って、外ケース１１と芯部材２１との間に装填されると共に、前側のポッティング部３３及び後側のポッティング部３４（固定部）を介して、外ケース１１及び芯部材２１に固定されている。すなわち、加湿装置１は、その軸方向において、ポッティング部３３、３４の間に水分交換を行う水分交換部を有している。
【００３０】
また、中空糸膜３２の前側開口（第１ガス流入口）は、フロントキャップ１２内と連通しており、フロントキャップ１２内から中空糸膜３２内に、空気が流入するようになっている。一方、中空糸膜３２の後側開口（第１ガス流出口）は、リアキャップ１４内と連通しており、中空糸膜３２内からリアキャップ１４内に加湿空気が流出するようになっている。
【００３１】
中空糸膜３２は、外径が３ｍｍ以下（好ましくは０．２〜１ｍｍ）の極細の円筒状であり、その周壁に複数の数ｎｍの微細孔を有しており、水（水蒸気）の透過性を有している。そして、含水量の低い空気（第１ガス）が中空糸膜３２の内部を、含水量が高いオフガス（第２ガス）が中空糸膜３２の外部を、それぞれ流通することで、含水量の高いオフガスから水分が吸い出され、この水分が毛細管現象により中空糸膜３２の周壁を透過し、含水量の低い空気に供給（添加）されることで、空気が加湿され、加湿空気となる。このように板状の平膜等でなく、中空糸膜３２を使用したことで、単位体積当たりの有効膜面積は飛躍的に大きくなる。
【００３２】
また、中空糸膜３２は細く、さらに、コンプレッサ５１での圧縮により、オフガスよりも高圧の空気が中空糸膜３２内を通るので、中空糸膜束３１がメッシュ３５によって絞られたとしても、中空糸膜３２自体が潰れないようになっている。
【００３３】
＜ポッティング部＞
ポッティング部３３、３４は、中空糸膜束３１及びこれを被うメッシュ３５を外ケース１１に固定すると共に、中空糸膜束３１を外ケース１１内に封止する部分である。このようなポッティング部３３、３４は、例えば、エポキシ樹脂等の熱硬化性樹脂から形成される。
【００３４】
＜メッシュ＞
メッシュ３５は、中空糸膜束３１の外周面に密着して被さり、中空糸膜束３１の少なくともオフガス流出口１１ａ近傍部分を径方向内側に絞り、中空糸膜束３１のオフガス流出口１１ａ近傍部分とオフガス流出口１１ａとを離間させるため、オフガス流出口１１ａ側が縮径した略円筒状のカバーである。メッシュ３５は、適度な目開きを有しており、メッシュ３５内外において、オフガスが圧力損失を受けることなく流通するようになっている。
このようなメッシュ３５は、例えばフッ素樹脂、ＰＰ（ポリプロピレン）系等の伸長しにくい材料から形成されている。また、本実施形態では、メッシュ３５の前端部及び後端部は、中空糸膜束３１と共に、ポッティング部３３、３４を介して外ケース１１に固定されており、メッシュ３５が軸方向にずれないようになっている。
【００３５】
メッシュ３５の前側部分であって、オフガス流出口１１ａの近傍部分は、前記したように縮径しており、中空糸膜束３１のオフガス流出口１１ａの近傍部分を、径方向内側に絞っている。これにより、中空糸膜束３１を構成する中空糸膜３２がオフガス流出口１１ａを塞がず、中空糸膜３２が外ケース１１の内周面に張り付きにくくなっている。よって、中空糸膜３２の外側を流れるオフガスの受ける圧力損失は乱れにくく、オフガスは、その流れを乱すことなく、良好に流通可能となっている。
なお、メッシュ３５の縮径の程度は、中空糸膜束３１とオフガス流出口１１ａとを離間させる程度に関係し、事前試験等によって求められる。そして、当該結果に基づいてメッシュ３５が成形される。
【００３６】
また、中空糸膜束３１のオフガス流出口１１ａの近傍部分が絞られることで、中空糸膜束３１の輪切り断面方向において、中空糸膜３２同士の距離が小さくなり、中空糸膜束３１内における中空糸膜３２の密度は高くなっている。すなわち、オフガス流出口１１ａの近傍部分における中空糸膜３２は、その密度が疎である他の部分に対して、密となっている。
【００３７】
さらに、中空糸膜束３１における中空糸膜３２の密度（充填率）は、径方向外側で高くなっており、内側で低くなっている（図４参照）。すなわち、加湿装置１の輪切り断面において、その中心側では中空糸膜束３１の中空糸膜３２間の隙間が大きく、外側では隙間が小さくなっている。これにより、軸方向において、メッシュ３５によって絞られている部分のオフガスの流路断面積は、それ以外の部分よりも小さくなっている。
【００３８】
したがって、メッシュ３５で絞られるオフガス流出口１１ａの近傍部分では、オフガスが隙間の大きい中心側を主に流れることになり、つまり、オフガスが径方向内側に向かって流れやすくなる。これにより、中空糸膜３２がオフガス流出口１１ａをさらに塞ぎにくくなる。
【００３９】
また、このように絞られる部分では流路断面積が小さいので、オフガスが同一流量とすれば、オフガスの流速は絞られる部分において高くなる。これにより、オフガスは、外ケース１１内を前側のポッティング部３３の近傍まで流れやすくなり、その結果として、前側の中空糸膜３２を介しても水分交換しやすくなっている。
【００４０】
さらに、このようにメッシュ３５で中空糸膜束３１が被われることで、中空糸膜束３１を構成する中空糸膜３２がばらばらになることが防止されると共に、中空糸膜束３１の外周面を保護することもできる。さらにまた、加湿装置１を組み付ける際に、中空糸膜束３１をメッシュ３５で外被することによって、中空糸膜束３１の取り扱いが容易となる。
【００４１】
≪加湿装置の効果≫
このような加湿装置１によれば、主として次の効果を得ることができる。
メッシュ３５によって、中空糸膜束３１のオフガス流出口１１ａの近傍部分が絞られており、中空糸膜束３１の外周面とオフガス流出口１１ａとが、径方向（輪切り断面方向）において離間しているので、中空糸膜３２が外ケース１１の内周面に張り付きにくくなり、オフガス流出口１１ａが塞がれにくくなる。
これにより、水分交換後のオフガスが、オフガス流出口１１ａを通って、外部に良好に排出される。つまり、燃料電池スタック４０からのオフガスは、その流量が低下することなく、加湿装置１を経由して、外部に排出される。その結果として、燃料電池システム１００は、良好に作動することができる。
【００４２】
また、中空糸膜３２の充填密度が径方向内側で低くなっているため、オフガスが径方向内側に向かって流れると共に、その流速が高くなるため、中空糸膜束３１の前側部分の中空糸膜３２でも水分交換することができる。これにより、空気を効率的に加湿することができる。
【００４３】
以上、本発明の好適な一実施形態について説明したが、本発明は前記実施形態に限定されず、本発明の趣旨を逸脱しない範囲で、例えば以下のような変更をすることができる。
【００４４】
例えば、図５及び図６に示すように、メッシュ３５を備えず、中空糸膜束３１のオフガス流出口１１ａの近傍部分が絞られ、この近傍部分と第２ガス流出口とが離間するように、中空糸膜束３１がポッティング部３３、３４（固定部）を介して外ケース１１に固定された加湿装置２であってもよい。
このようにポッティング部３３、３４によって中空糸膜束３１が絞られた構成とするには、例えば、中空糸膜束３１が所定に絞られるように治具やバンドで仮止めした後、この仮止めされ絞られた中空糸膜束３１を外ケース１１内の所定位置に配置した状態で、ポッティング部３３、３４を形成することで構成できる。
【００４５】
前記した実施形態では、中空糸膜束３１が外ケース１１と芯部材２１との間に充填された加湿装置１に本発明を適用したが、これに限定されず、図７に示すように、芯部材２１を備えず、外ケース１１の後側にオフガス流入口１１ｄ（第２ガス流入口）、前側にオフガス流出口１１ｅ（第２ガス流出口）を有する加湿装置３に適用してもよい。
【００４６】
前記した実施形態では、軸方向において、メッシュ３５の長さと中空糸膜束３１の長さとが略同一であり、メッシュ３５が中空糸膜束３１の全外周面に被さる構成を例示したが、軸方向におけるメッシュ３５の長さは、複数段で形成されたオフガス流出口１１ａよりも長ければよく、中空糸膜束３１のオフガス流出口１１ａの近傍部分に被さり、この部分を絞る構成であればよい。
さらに、前記した実施形態では、略円筒状のメッシュ３５で中空糸膜束３１を絞る構成としたが、その他に例えば、バンドで中空糸膜束３１を絞る構成としてもよい。
【００４７】
前記した実施形態では、中空糸膜３２内を通る第１ガス（空気）が第２ガス（オフガス）よりも含水量が低い場合を例示したが、第１ガスの含水量が第２ガスよりも高い場合であってもよい。すなわち、コンプレッサ５１からの空気が中空糸膜３２外を通る構成であってもよい。
【００４８】
前記した実施形態では、中空糸膜３２外のオフガス（第２ガス）の向きと、中空糸膜内の空気（第１ガス）の向きとが、逆である場合について説明したが、これに限定されず、同じ向きであってもよい。
【図面の簡単な説明】
【００４９】
【図１】本実施形態に係る加湿装置が組み込まれた燃料電池システムの構成を示す図である。
【図２】本実施形態に係る加湿装置の斜視図である。
【図３】本実施形態に係る加湿装置の側断面図である。
【図４】本実施形態に係る加湿装置の要部拡大図である。
【図５】変形例に係る加湿装置の側断面図である。
【図６】変形例に係る加湿装置の要部拡大図である。
【図７】変形例に係る加湿装置の側断面図である。
【符号の説明】
【００５０】
１      加湿装置
１０    ケース
１１    外ケース
１１ａ  オフガス流出口（第２ガス流出口）
２１    芯部材
２１ａ  中空部
２１ｂ  オフガス流入口（第２ガス流入口）
３１    中空糸膜束
３２    中空糸膜
３３、３４  ポッティング部（固定部）
３５    メッシュ
【図１】
2008256225.tif 000003
【図２】
2008256225.tif 000004
【図３】
2008256225.tif 000005
【図４】
2008256225.tif 000006
【図５】
2008256225.tif 000007
【図６】
2008256225.tif 000008
【図７】
2008256225.tif 000009